(57)【要約】【課題】環状パッキン材及び封止剤により更生管内を通過する流体が管端封止部材の筒状体の外周面とライナー管の内周面との間から漏洩することを確実に防ぐことができ、管更生工法を良好に行うことができる。【解決手段】既設管２の内周面に柔軟性を有するライナー管３を挿入してなる更生管１の管端部封止構造であって、更生管の管端部内に挿入可能な筒状体４ａ及び更生管の管端部の端面に当接可能な環状鍔体４ｂからなる管端封止部材４を形成し、筒状体の外周面４ｄにライナー管が被嵌され、筒状体の外周面にライナー管の内周面に弾圧接触可能な環状パッキン材５を配設し、管端封止部材の筒状体の外周面から環状鍔体に至る外周面をテーパー面４ｅに形成し、ライナー管の内周面、筒状体の外周面、テーパー面、環状パッキン材及び環状鍔体により囲まれた間隙Ｓに封止剤６を設けてなる。【選択図】図１
2015113954.tif 000002
【特許請求の範囲】
【請求項１】
既設管の内周面に柔軟性を有するライナー管を挿入してなる更生管の管端部封止構造であって、上記更生管の管端部内に挿入可能な筒状体及び該更生管の管端部の端面に当接可能な環状鍔体からなる管端封止部材を形成し、該筒状体の外周面に上記ライナー管が被嵌され、該筒状体の外周面に該ライナー管の内周面に弾圧接触可能な環状パッキン材を配設し、該管端封止部材の該筒状体の外周面から環状鍔体に至る外周面をテーパー面に形成し、該ライナー管の内周面、該筒状体の外周面、該テーパー面、上記環状パッキン材及び環状鍔体により囲まれた間隙に封止剤を設けてなることを特徴とする更生管の管端部封止構造。
【請求項２】
上記既設管の管端部の内周面と上記筒状体の外周面に被嵌されたライナー管の外周面との間に弾性筒材を介在してなることを特徴とする請求項１記載の更生管の管端部封止構造。
【請求項３】
上記ライナー管は柔軟性を有する繊維強化プラスチックからなることを特徴とする請求項１又は２記載の更生管の管端部封止構造。
【請求項４】
上記封止剤は弾性接着剤からなることを特徴とする請求項１〜３のいずれか１項に記載の更生管の管端部封止構造。
【発明の詳細な説明】
【技術分野】
【０００１】
本発明は既設管の内周面にライナー管を挿入してなる更生管の管端部封止構造に関するものである。
【背景技術】
【０００２】
従来から圧力管、給水管、配水管等として地中に埋設されている既設管が老朽化した場合、この老朽化した既設管を所定の長さで両端を切断し、切断した既設管の内周面に柔軟性を有するライナー管を挿入し、ライナー管により既設管の更生を行い、このライナー管を挿入してなる更生管と切断した既設管の管端部とを突き合わせ、管継手により連結して再生する管更生工法が知られている。
【先行技術文献】
【特許文献】
【０００３】
【特許文献１】特許第４６０３３１２号公報
【発明の概要】
【発明が解決しようとする課題】
【０００４】
しかしながら上記従来構造の場合、上記更生管の上記既設管の内周面に挿入されたライナー管内を通過する水や油、ガス等の流体が更生管の管端部から漏洩することがあるという不都合を有している。
【課題を解決するための手段】
【０００５】
本発明はこれらの不都合を解決することを目的とするもので、本発明のうち、請求項１記載の発明は、既設管の内周面に柔軟性を有するライナー管を挿入してなる更生管の管端部封止構造であって、上記更生管の管端部内に挿入可能な筒状体及び該更生管の管端部の端面に当接可能な環状鍔体からなる管端封止部材を形成し、該筒状体の外周面に上記ライナー管が被嵌され、該筒状体の外周面に該ライナー管の内周面に弾圧接触可能な環状パッキン材を配設し、該管端封止部材の該筒状体の外周面から環状鍔体に至る外周面をテーパー面に形成し、該ライナー管の内周面、該筒状体の外周面、該テーパー面、上記環状パッキン材及び環状鍔体により囲まれた間隙に封止剤を設けてなることを特徴とする更生管の管端部封止構造にある。
【０００６】
又、請求項２記載の発明は、上記既設管の管端部の内周面と上記筒状体の外周面に被嵌されたライナー管の外周面との間に弾性筒材を介在してなることを特徴とするものである。
【０００７】
又、請求項３記載の発明は、上記ライナー管は柔軟性を有する繊維強化プラスチックからなることを特徴とするものであり、又、請求項４記載の発明は、上記封止剤は弾性接着剤からなることを特徴とするものである。
【発明の効果】
【０００８】
本発明は上述の如く、請求項１記載の発明にあっては、既設管の内周面に柔軟性を有するライナー管を挿入してなる更生管の管端部内に管端封止部材の筒状体を挿入すると共に更生管の管端部の端面に環状鍔体を当接し、筒状体の外周面に上記ライナー管が被嵌され、筒状体の外周面にライナー管の内周面に弾圧接触可能な環状パッキン材が配設され、上記環状鍔体から環状パッキン材までの間の筒状体の外周面及びテーパー面に封止剤を設け、この状態で、管端封止部材の筒状体をライナー管内に圧挿入し、更生管の管端部と既設管の管端部を突き合わせ、管継手により連結することになり、しかして、環状パッキン材により、更生管内を通過する流体が管端封止部材の筒状体の外周面とライナー管の内周面との間から漏洩することを確実に防ぐことができ、かつ、ライナー管の内周面、管端封止部材の筒状体の外周面、テーパー面、環状パッキン材及び環状鍔体に囲まれた間隙に設けられた封止剤により、更生管内を通過する流体が管端封止部材の筒状体の外周面とライナー管の内周面との間から漏洩することを確実に防ぐことができ、管更生工法を良好に行うことができる。
【０００９】
又、請求項２記載の発明にあっては、上記既設管の管端部の内周面と上記筒状体の外周面に被嵌されたライナー管の外周面との間に弾性筒材を介在してなるから、管端封止部材の筒状体をライナー管の内周面に圧挿入するに際し、弾性筒材が封止剤による膨出を吸収することができ、それだけ、既設管の内周面とライナー管の外周面との密着性を向上することができ、流体の漏洩を確実に防ぐことができ、管更生工法を良好に行うことができる。
【００１０】
又、請求項３記載の発明にあっては、上記ライナー管は柔軟性を有する繊維強化プラスチックからなるので、ライナー管の機械的強度を高めることができ、使用の耐久性を向上することができ、管更生工法を良好に行うことができ、又、請求項４記載の発明にあっては、上記封止剤は弾性接着剤からなるので、耐震性を向上することができ、使用の耐久性を向上することができ、管更生工法を良好に行うことができる。
【図面の簡単な説明】
【００１１】
【図１】本発明の実施の形態例の部分断面図である。
【図２】本発明の実施の形態例の部分拡大断面図である。
【図３】本発明の実施の形態例の全体構造を示す断面図である。
【図４】本発明の実施の形態例の拡大断面図である。
【図５】本発明の実施の形態例の拡大断面図である。
【図６】本発明の実施の形態例の分解斜視図である。
【図７】本発明の実施の形態例の概略図である。
【発明を実施するための形態】
【００１２】
図１乃至図７は本発明の実施の形態例を示し、１は更生管であって、図１、図２の如く、既設管２の内周面に柔軟性を有するライナー管３が挿入され、この場合、既設管２は地中に敷設され、ガス配管用として炭素鋼鋼管（ＳＧＰ）が用いられ、又、ライナー管３は、この場合、柔軟性を有する繊維強化プラスチックが用いられ、具体的にはサーモパイプ（中日コプロ株式会社・日本インシチューム協会）が用いられ、このサーモパイプは強化ポリエステル繊維をポリエチレンでコーティングした構造となっており、この柔軟性に富むライナー管３を既設管２内に挿入し、ライナー管３を蒸気と圧縮空気で拡張させて既設管２の内周面に密着させ、その後、冷却固化させ、管更生を行うように構成している。
【００１３】
４は管端封止部材であって、図１、図２、図４、図５、図６の如く、上記更生管１の管端部内に挿入可能な筒状体４ａ及び更生管１の管端部の端面に当接可能な環状鍔体４ｂからなり、筒状体４ａの外周面４ｄに上記ライナー管３の内周面が被嵌され、筒状体４ａの外周面４ｄに凹環溝部４ｃが形成され、凹環溝部４ｃにライナー管３の内周面に弾圧接触可能な断面角状のニトリルゴムからなる環状パッキン材５を嵌合配設している。
【００１４】
又、この場合、図１、図６の如く、上記管端封止部材４の筒状体４ａの外周面４ｄから環状鍔体４ｂに至る外周面をテーパー面４ｅに形成し、筒状体４ａの外周面４ｄ、テーパー面４ｅ、上記環状パッキン材５及び環状鍔体４ｂにより囲まれた外周面部位に封止剤６を塗布して設け、この場合、上記封止剤６はシリル化ウレタン樹脂を主剤とする弾性接着剤を用いている。
【００１５】
この場合、上記環状鍔体４ｂから環状パッキン材５までの間の筒状体４ａの外周面４ｄ及びテーパー面４ｅに封止剤６としての弾性接着剤を塗布し、この状態で、管端封止部材４の筒状体４ａをライナー管３の内周面に管端封止部材４の環状鍔体４ｂを叩いて圧挿入し、封止剤６としての弾性接着剤の固化により筒状体４ａの外周面４ｄ、テーパー面４ｅ、環状パッキン材５及び環状鍔体４ｂにより囲まれた間隙Ｓに封止剤６を設けて構成している。
【００１６】
又、この場合、図１、図６の如く、上記既設管２の管端部の内周面と上記筒状体４ａの外周面４ｄに被嵌されたライナー管３の外周面との間に弾性筒材７を介在し、弾性筒材７として、断面板状のニトリルゴムからなる筒状ゴムを用いている。
【００１７】
この実施の形態例は上記構成であるから、図１、図２、図３の如く、既設管２の内周面に柔軟性を有するライナー管３を挿入してなる更生管１の管端部内に管端封止部材４の筒状体４ａを挿入すると共に更生管１の管端部の端面に環状鍔体４ｂを当接し、筒状体４ａの外周面４ｄに上記ライナー管３が被嵌され、筒状体４ａの外周面４ｄにライナー管３の内周面に弾圧接触可能な環状パッキン材５が配設され、上記環状鍔体４ｂから環状パッキン材５までの間の筒状体４ａの外周面４ｄ及びテーパー面４ｅに封止剤６としての弾性接着剤を塗布し、この封止剤６を設けた状態で、管端封止部材４の筒状体４ａをライナー管３内に管端封止部材４の環状鍔体４ｂを叩いて圧挿入し、図６、図７の如く、更生管１の管端部と既設管２の管端部を突き合わせ、管継手Ｋにより連結することになり、しかして、環状パッキン材５により、更生管１内を通過する流体Ｒが管端封止部材４の筒状体４ａの外周面４ｄとライナー管３の内周面との間から漏洩することを確実に防ぐことができ、かつ、ライナー管３の内周面、管端封止部材４の筒状体４ａの外周面４ｄ、テーパー面４ｅ、環状パッキン材５及び環状鍔体４ｂに囲まれた間隙Ｓに設けられた封止剤６により、更生管１内を通過する流体Ｒが管端封止部材４の筒状体４ａの外周面４ｄとライナー管３の内周面との間から漏洩することを確実に防ぐことができ、管更生工法を良好に行うことができる。
【００１８】
この場合、図１の如く、上記既設管２の管端部の内周面と上記筒状体４ａの外周面４ｄに被嵌されたライナー管３の外周面との間に弾性筒材７を介在してなるから、管端封止部材４の筒状体４ａをライナー管３の内周面に圧挿入するに際し、弾性筒材７が封止剤６による膨出を吸収することができ、それだけ、既設管２の内周面とライナー管３の外周面との密着性を向上することができ、流体Ｒの漏洩を確実に防ぐことができ、管更生工法を良好に行うことができる。
【００１９】
又、この場合、上記ライナー管３は柔軟性を有する繊維強化プラスチックからなるので、ライナー管３の機械的強度を高めることができ、使用の耐久性を向上することができ、管更生工法を良好に行うことができ、又、この場合、上記封止剤６は弾性接着剤からなるので、耐震性を向上することができ、使用の耐久性を向上することができ、管更生工法を良好に行うことができる。
【００２０】
尚、本発明は上記実施例のものに限られるものではなく、更生される既設管２として、ガス管に限らず、水や油、上下水道の配管、ビル、工場などの建物内の配管等の各種の流体Ｒの管路となる圧力管、給水管、配水管等に適用することができ、ライナー管３の材質や構造等、適宜変更して設計される。
【００２１】
以上の如く、所期の目的を充分達成することができる。
【符号の説明】
【００２２】
Ｓ    間隙
１    更生管
２    既設管
３    ライナー管
４    管端封止部材
４ａ    筒状体
４ｂ    環状鍔体
４ｄ    外周面
４ｅ    テーパー面
５    環状パッキン材
６    封止剤
７    弾性筒材
【図１】
2015113954.tif 000003
【図２】
2015113954.tif 000004
【図３】
2015113954.tif 000005
【図４】
2015113954.tif 000006
【図５】
2015113954.tif 000007
【図６】
2015113954.tif 000008
【図７】
2015113954.tif 000009